(57)【要約】【課題】画像処理パラメータを画像ファイルに含めて記録すること。【解決手段】画像処理パラメータ決定部１０４ａは、撮像素子１０３で取得した画像データに対して画像処理を施し、画像データを処理する際に参照する、該画像処理の処理レベルを指示する設定値を画像データに基づいて算出し、画像処理時に参照させる設定値を、算出した設定値、または所定の設定値から選択する。画像処理パラメータ記録部１０４ｃは、取得した画像データと、選択した設定値、および算出した設定値を記録した画像ファイルを生成する。【選択図】図１
2009044243.tif 000002
【特許請求の範囲】
【請求項１】
被写体像を撮像して画像データを取得する撮像手段と、
前記撮像手段で取得した画像データに対して画像処理を施す画像処理手段と、
前記画像処理手段が前記画像データを処理する際に参照する、該画像処理の処理レベルを指示する設定値を画像データに基づいて算出する設定値自動算出手段と、
前記画像処理手段に参照させる設定値を、前記設定値自動算出手段が算出する設定値、または所定の設定値から選択する選択手段と、
前記撮像手段で取得した画像データ、前記選択手段によって選択された設定値、および前記設定値自動算出手段により算出された設定値を含む画像ファイルを生成する画像ファイル生成手段とを備えることを特徴とするデジタルカメラ。
【請求項２】
請求項１に記載のデジタルカメラにおいて、
前記画像処理は、コントラスト調整処理、彩度調整処理、ホワイトバランス調整処理、および輪郭強調処理の少なくともいずれか１つであることを特徴とするデジタルカメラ。
【請求項３】
請求項１または２に記載のデジタルカメラにおいて、
被写体像の輝度情報を検出する測光センサーをさらに備え、
前記設定値自動算出手段は、前記測光センサーからの輝度情報に基づいて前記設定値を算出することを特徴とするデジタルカメラ。
【請求項４】
請求項１または２に記載のデジタルカメラにおいて、
被写体までの距離情報を検出する測距センサーをさらに備え、
前記設定値自動算出手段は、前記測距センサーにより検出された信号を基に算出された被写体までの距離情報に基づいて前記設定値を算出することを特徴とするデジタルカメラ。
【請求項５】
請求項１〜４のいずれか一項に記載のデジタルカメラ、および画像処理装置を備え、
前記画像処理装置は、
前記デジタルカメラで記録された前記画像ファイルを読み込む画像ファイル読み込み手段と、
前記画像ファイル読み込み手段で読み込んだ前記画像ファイルに含まれる画像データに対して、前記画像ファイルに含まれる前記選択手段によって選択された設定値を参照して画像処理を施すか、または前記画像ファイルに含まれる前記設定値自動算出手段により算出された設定値を参照して画像処理を施すかを、使用者の指示に基づいて決定する設定値決定手段と、
前記設定値決定手段で決定した設定値に基づいて、前記読み込んだ画像ファイルに含まれる画像データに画像処理を施す画像処理実行手段とを備えることを特徴とする画像処理システム。
【発明の詳細な説明】
【技術分野】
【０００１】
本発明は、デジタルカメラ、および画像処理システムに関する。
【背景技術】
【０００２】
次のような電子カメラが知られている。この電子カメラは、画像の輝度ヒストグラムに基づいて、画像に対して施すべき階調変換の階調変換特性を設定する（例えば、特許文献１）。
【０００３】
【特許文献１】特開２００３−２３００５１号公報
【発明の開示】
【発明が解決しようとする課題】
【０００４】
しかしながら、画像の輝度ヒストグラムに基づいて自動的に階調変換特性を設定する電子カメラにおいて、設定された階調変換特性を用いて画像に対して階調変換特性を施した場合には、その画像ファイルを読み込んだ画像処理装置上では、電子カメラが自動的に設定する階調変換特性を用いた画像処理を再現することができない。
【課題を解決するための手段】
【０００５】
本発明によるデジタルカメラは、被写体像を撮像して画像データを取得し、取得した画像データに対して画像処理を施し、画像データを処理する際に参照する、該画像処理の処理レベルを指示する設定値を画像データに基づいて算出し、画像処理時に参照させる設定値を、算出した設定値、または所定の設定値から選択し、取得した画像データ、選択した設定値、および算出した設定値を含む画像ファイルを生成することを特徴とすることを特徴とする。
本発明では、画像処理は、コントラスト調整処理、彩度調整処理、ホワイトバランス調整処理、および輪郭強調処理の少なくともいずれか１つであることが好ましい。
また、被写体像の輝度情報を検出する測光センサーからの輝度情報に基づいて設定値を算出してもよく、被写体までの距離情報を検出する測距センサーにより検出された信号を基に算出された被写体までの距離情報に基づいて設定値を算出してもよい。
本発明による画像処理システムは、上記デジタルカメラ、および画像処理装置を備え、画像処理装置は、デジタルカメラで記録された画像ファイルを読み込み、読み込んだ画像ファイルに含まれる画像データに対して、画像ファイルに含まれる選択された設定値を参照して画像処理を施すか、または画像ファイルに含まれる算出された設定値を参照して画像処理を施すかを、使用者の指示に基づいて決定し、決定した設定値に基づいて、読み込んだ画像ファイルに含まれる画像データに画像処理を施すことを特徴とする。
【発明の効果】
【０００６】
本発明によれば、画像ファイルを読み込んだ画像処理装置上で、デジタルカメラが自動的に行う画像処理を再現することができる。
【発明を実施するための最良の形態】
【０００７】
図１は、本実施の形態における画像処理システムの一実施の形態の構成を示すブロック図である。画像処理システム１０は、デジタルカメラ１００と、パーソナルコンピュータ（パソコン）２００とで構成されている。
【０００８】
デジタルカメラ１００は、操作部材１０１と、レンズ１０２と、撮像素子１０３と、制御装置１０４と、メモリカードスロット１０５と、モニタ１０６と、測光センサー１０７と、測距センサー１０８とを備えている。操作部材１０１は、使用者によって操作される種々の入力部材、例えば電源ボタン、レリーズスイッチ、ズームボタン、十字キー、決定ボタン、再生ボタン、削除ボタンなどを含んでいる。
【０００９】
レンズ１０２は、複数の光学レンズ群から構成されるが、図１では代表して１枚のレンズで表している。撮像素子１０３は、例えばＣＣＤやＣＭＯＳであり、レンズ１０２により結像した被写体像を撮像して画像を取得する。そして、取得した画像のデータ（画像データ）を制御装置１０４へ出力する。制御装置１０４は、撮像素子１０３で取得された画像のＲＡＷデータ（Ｒａｗ画像データ）をＥｘｉｆ（Ｅｘｃｈａｎｇｅａｂｌｅ  Ｉｍａｇｅ  Ｆｉｌｅ  Ｆｏｒｍａｔ  ｆｏｒ  Ｄｉｇｉｔａｌ  Ｓｔｉｌｌ  Ｃａｍｅｒａ）等の所定の形式の画像ファイルに格納してメモリカードスロット１０５へ出力する。この画像ファイルは、ＲＡＷデータを本画像として含み、さらに撮影日時や種々の画像処理パラメータなどを格納する付加情報部を含んでいる。
【００１０】
メモリカードスロット１０５は、記憶媒体としてのメモリカードを挿入するためのスロットであり、制御装置１０４から出力された画像ファイルをメモリカードに書き込んで記録する。また、制御装置１０４からの指示に基づいて、メモリカード内に記憶されている画像ファイルを読み込む。
【００１１】
モニタ１０６は、カメラ１００の背面に搭載された液晶モニタ（背面モニタ）であり、当該モニタ１０６には、メモリカードに記憶されている画像やカメラ１００を設定するための設定メニューなどが表示される。また、制御装置１０４は、撮像素子１０３から時系列で画像を取得してモニタ１０６に出力する。これによって、モニタ１０６には、各フレームの画像が所定時間間隔で順番に表示される。すなわちモニタ１０６にはスルー画が表示される。
【００１２】
測光センサー１０７は、撮影画面を複数の領域に分割して各領域ごとの輝度に応じた測光信号を制御装置１０４へ出力する。測距センサー１０８は、撮影光学系の被写体への合焦状態を示す合焦情報を出力センサーである。
【００１３】
制御装置１０４は、ＣＰＵ、メモリ、およびその他の周辺回路により構成され、画像処理パラメータ決定部１０４ａと、画像処理実行部１０４ｂと、画像処理パラメータ記録部１０４ｃとを機能的に備えている。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、プログラム実行時に読み込まれる種々のパラメータなどが記録されている。
【００１４】
本実施の形態におけるデジタルカメラ１００では、使用者は、画像撮影時に撮影画像に対して施す種々の画像処理、例えば、コントラスト調整、彩度調整、ホワイトバランス調整、輪郭強調等に対する設定を、手動で行うか（手動設定）、あるいはデジタルカメラ１００に自動で設定させるか（オート設定）を選択することができる。
【００１５】
手動設定を選択した場合には、使用者は、操作部材１０１を操作して、モニタ１０６に表示される設定メニュー上で任意に設定を行う。そして、画像処理パラメータ決定部１０４ａは、使用者によって設定された設定内容に応じて、画像処理の処理レベルを指示する設定値、すなわち画像処理パラメータを決定する。
【００１６】
これに対して、オート設定を選択した場合には、画像処理パラメータ決定部１０４ａは、撮像素子１０３から入力される画像の情報、測光センサー１０７から出力される信号、および測距センサー１０８から出力される信号に基づいて、撮影画像に最適な画像処理パラメータを自動的に決定する。
【００１７】
なお、本実施の形態では、画像処理パラメータ決定部１０４ａは、使用者によって手動設定が選択された場合にも、撮影画像に最適な画像処理パラメータを自動的に決定する。すなわち、画像処理パラメータ決定部１０４ａは、使用者によって手動設定が選択された場合には、使用者によって設定された設定内容に応じた画像処理パラメータを決定するとともに、オート設定が選択されていた場合の画像処理パラメータも決定する。
【００１８】
画像処理パラメータ記録部１０４ｃは、画像処理パラメータ１０４ａで決定された画像処理パラメータを、Ｒａｗデータを本画像として含む画像ファイル内の付加情報部に記録する。画像ファイルの付加情報部には、手動設定時に決定される画像処理パラメータを格納するためのタグと、オート設定時に決定される画像処理パラメータを格納するためのタグとが含まれており、画像処理パラメータ記録部１０４ｃは、画像処理パラメータ１０４ａで決定された画像処理パラメータを、それぞれのタグに記載する。
【００１９】
なお、本実施の形態では、画像ファイルに含める本画像はＲａｗデータである場合について説明するが、例えば、Ｒａｗデータに対して種々の画像処理を施した後のＪｐｅｇ形式の画像データ（Ｊｐｅｇデータ）等を本画像として画像ファイルに含めてもよい。この場合には、画像処理実行部１０４ｂがＲａｗデータに対して種々の画像処理を施し、Ｊｐｅｇデータを作成する。
【００２０】
以下、画像に対して施す画像処理がコントラスト調整である場合を例に、具体例を説明する。使用者は、操作部材１０１を操作してコントラスト調整の設定メニューをモニタ１０６に表示した後、当該設定メニュー上でコントラスト調整における画像処理の処理レベルを指定することができる。例えば、画像処理パラメータ決定部１０４ａは、図２（ａ）に示すような設定メニューをモニタ１０６に表示する。そして、使用者は、この設定メニュー上でコントラストＡｕｔｏ２ａ、コントラスト強２ｂ、コントラストやや強２ｃ、コントラスト標準２ｄ、コントラストやや弱２ｅ、およびコントラスト弱２ｆの６つの項目の中からいずれかの項目を選択することで、画像処理の処理レベルを指定することができる。
【００２１】
画像処理パラメータ決定部１０４ａは、使用者によってコントラストＡｕｔｏ２ａが選択された場合には、上述したオート設定が選択されたものと判断し、撮影画像に最適な画像処理パラメータを自動的に決定する。これに対して、コントラスト強２ｂ〜コントラスト弱２ｆのいずれかが選択された場合には、上述した手動設定が選択されたものと判断し、選択された項目に応じて画像処理パラメータを決定する。
【００２２】
ここで、画像処理パラメータ決定部１０４ａによる画像処理パラメータの決定方法について具体的に説明する。まず、使用者によって手動設定が選択された場合の画像処理パラメータ決定部１０４ａによる画像処理パラメータの決定方法について説明する。この場合には、画像処理パラメータ決定部１０４ａは、図２（ｂ）に示すガンマカーブ番号テーブルを参照して、使用者によって選択された項目に対応する階調変換特性（ガンマカーブ）を特定するためのガンマカーブ番号を決定する。
【００２３】
ガンマカーブ番号は０〜６の７段階に設定されており、コントラスト強２ｂ〜コントラスト弱２ｆのそれぞれには、ガンマカーブ番号テーブルによっていずれかのガンマカーブ番号が割り当てられている。なお、ガンマカーブ番号テーブルは、フラッシュメモリ内にあらかじめ記録されており、このガンマカーブ番号が、画像処理の処理レベルを決定するための画像処理パラメータに相当する。
【００２４】
例えば、使用者によってコントラスト強２ｂが選択された場合には、ガンマカーブ番号を６に設定し、コントラストやや強２ｃ選択された場合には、ガンマカーブ番号を５に設定する。階調変換特性のデータは、あらかじめガンマカーブ番号に対応付けてフラッシュメモリに記録されている。また、画像処理パラメータ決定部１０４ａは、以下に説明するオート設定時の処理も同時に行うことによって、オート設定が選択されていた場合の画像処理パラメータも決定する。
【００２５】
次に、使用者によってオート設定が選択された場合について、図３を用いて説明する。なお、図３において、図１のブロック図に示した構成要素と同一の構成要素については、同じ符号を付加し、説明を省略する。なお、この図３において、アナログゲイン３ａ〜ＡＥ制御３ｊの各回路は制御装置１０４に含まれている。また、階調変換カーブ決定部３ｈは画像処理パラメータ決定部１０４ａに相当する。
【００２６】
画像撮影時には、測光センサー１０７による検出結果に基づいて、ＡＥ算出部３ｉでＡＥの算出処理が行われ、ＡＥ制御部３ｊは、ＡＥ算出部３ｉによる算出結果に基づいて、ＡＥ制御を行う。撮像素子１０３で撮像された画像データは、アナログゲイン３ａに入力されて、アナログゲインがかけられた後、Ａ／Ｄ変換３ｂでデジタル信号に変換される。その後、ホワイトバランス３ｃでホワイトバランス調整がなされ、補間３ｄで補間処理が施された後、階調変換３ｅへ入力される。
【００２７】
一方、評価値算出部３ｆでは、Ａ／Ｄ変換３ｂから出力される画像データに基づいて、輝度ヒストグラムを作成し、作成した輝度ヒストグラムに基づいてＡＥ評価値が算出される。コントラスト検出部３ｇは、評価値算出部３ｆで算出されたＡＥ評価値、レンズ１０２から取得したレンズの焦点距離、および測距センサー１０８から入力される合焦情報から算出される被写体までの距離情報に基づいて、最適なガンマカーブ番号を決定する。なお、ガンマカーブを自動決定する方法はどのような方法でもよく、例えば、特開２００１−５４０１４号公報に記載のごとく、測光センサー１０８の出力に基づいて算出してもよく、特開２００３−２３００５１号公報に記載のごとく、画像データの輝度情報から算出してもよい。
【００２８】
階調変換カーブ決定部３ｈは、コントラスト検出部３ｇで決定したガンマカーブに対応する階調変換特性を特定し、その特定結果を階調変換３ｅへ出力する。階調変換３ｅは、補間３ｄから入力された画像データに対して、階調変換カーブ決定部３ｈで決定された階調変換特性をかけて階調変換を行うことによって、画像のコントラスト調整を行なう。
【００２９】
画像処理パラメータ記録部１０４ｃは、コントラスト調整が手動設定の場合には、Ｒａｗデータを本画像として含む画像ファイルの付加情報部に含まれるコントラストタグに、使用者によって選択された項目に対応するガンマカーブ番号を記録する。また、コントラストオートタグに、コントラスト検出部３ｇで決定されたガンマカーブ番号を記録する。一方、コントラスト調整がオート設定の場合には、Ｒａｗデータを本画像として含む画像ファイルの付加情報部に含まれるコントラストタグ、およびコントラストオートタグに、コントラスト検出部３ｇで決定されたガンマカーブ番号を記録する。
【００３０】
すなわち、Ｒａｗデータは、種々の画像処理が施される前の画像データであるが、画像処理パラメータ記録部１０４ｃは、このＲａｗデータを本画像として含む画像ファイルの付加情報部に、ＲａｗデータをＪｐｅｇ等の画像処理が施された画像データに変換するために用いるオート設定時の画像処理パラメータ、および手動設定時の画像処理パラメータを記録する。これによって、画像ファイルを読み込んだパソコン２００において、Ｒａｗデータに対して、オート設定時の画像処理パラメータ、または手動設定時の画像処理パラメータを用いた画像処理を施すことが可能になる。
【００３１】
図４は、本実施の形態におけるデジタルカメラ１００の処理を示すフローチャートである。図４に示す処理は、画像の撮影が指示されると起動するプログラムとして、制御装置１０４によって実行される。
【００３２】
ステップＳ１０において、制御装置１０４は、撮像素子１０３を制御してＲａｗデータを取得して、ステップＳ２０へ進む。ステップＳ２０では、画像処理パラメータ決定部１０４ａは、図２（ａ）に示した設定メニュー上でコントラストＡｕｔｏ２ａが選択されることによって、オート設定が選択されたか否かを判断する。肯定判断した場合には、ステップＳ３０へ進む。
【００３３】
ステップＳ３０では、画像処理パラメータ決定部１０４ａ（コントラスト検出部３ｇ）は、図３により上述したように、評価値算出部３ｆで算出されたＡＥ評価値、レンズ１０２から取得したレンズの焦点距離、および測距センサー１０８から入力される被写体までの距離情報に基づいて、画像処理パラメータとしてのガンマカーブ番号を決定する。その後、後述するステップＳ６０へ進む。
【００３４】
これに対して、ステップＳ２０で否定判断した場合には、ステップＳ４０へ進み、画像処理パラメータ決定部１０４ａは、図２（ａ）に示した設定メニュー上で使用者によって選択された項目に応じたガンマカーブ番号を画像処理パラメータとして決定する。その後、ステップＳ５０へ進み、画像処理パラメータ決定部１０４ａ（コントラスト検出部３ｇ）は、ステップＳ３０と同様に、評価値算出部３ｆで算出されたＡＥ評価値、レンズ１０２から取得したレンズの焦点距離、および測距センサー１０８から入力される被写体までの距離情報に基づいて、画像処理パラメータとしてのガンマカーブ番号を決定する。その後、ステップＳ６０へ進む。
【００３５】
ステップＳ６０では、画像処理パラメータ記録部１０４ｃは、Ｒａｗデータを本画像として含み、付加情報部のコントラストタグ、およびコントラストオートタグのそれぞれに、画像処理パラメータ決定部１０４ａで決定されたガンマカーブ番号を記録した画像ファイルを生成する。ここで、画像処理パラメータ記録部１０４ｃは、コントラスト調整がオート設定の場合には、画像ファイルの付加情報部に含まれるコントラストタグ、およびコントラストオートタグに、ステップＳ３０で決定されたガンマカーブ番号を記録する。一方、コントラスト調整が手動設定の場合には、画像ファイルの付加情報部に含まれるコントラストタグに、ステップＳ４０で決定されたガンマカーブ番号を記録し、コントラストオートタグに、ステップＳ５０で決定されたガンマカーブ番号を記録する。
【００３６】
その後、ステップＳ７０へ進み、画像処理パラメータ記録部１０４ｃは、生成した画像ファイルを、メモリカードスロット１０５に挿入されているメモリカードに記録して、処理を終了する。
【００３７】
次に、パソコン２００について説明する。パソコン２００は、操作部材２０１と、接続ＩＦ（インターフェース）２０２と、制御装置２０３と、ＨＤＤ（ハードディスクドライブ）２０４と、モニタ２０５とを備えている。
【００３８】
操作部材２０１は、使用者によって操作される種々の装置、例えばキーボードやマウスを含む。接続ＩＦ２０２は、外部機器を接続するためのインターフェースであって、例えばＵＳＢケーブルを介して外部機器を接続するためのＵＳＢインターフェースが用いられる。本実施の形態では、接続ＩＦ２０２には、ＵＳＢケーブルを介してＳＤカードやＣＦ（コンパクトフラッシュ（登録商標））カード等のメモリカードにデータを入出力するためのメモリカードリーダー２０２ａが接続される。
【００３９】
本実施の形態では、このメモリカードリーダー２０２ａに、上述したデジタルカメラ１００で画像ファイルが記録されたメモリカードを挿入することによって、パソコン２００に画像ファイルを取り込むことができる。
【００４０】
ＨＤＤ２０４は、接続ＩＦ２０２を介して取り込まれた画像ファイルや、制御装置２０３で実行される種々のプログラム等を記録するための記憶媒体である。モニタ２０５は、例えば液晶モニタであって、制御装置２０３から出力される種々の表示用データが表示される。
【００４１】
制御装置２０３は、ＣＰＵ、メモリ、およびその他の周辺回路によって構成され、画像処理実行部２０３ａを機能的に備えている。なお、制御装置２０３を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、プログラム実行時に読み込まれる種々のパラメータなどが記録されている。
【００４２】
画像処理実行部２０３ａは、接続ＩＦ２０２を介してメモリカードから読み込んだ画像ファイルに格納されているＲａｗデータに対して、付加情報部に記録されている画像処理パラメータを用いた画像処理を行なうことができる。このとき、デジタルカメラ１００で、上述したように手動設定によって画像処理パラメータが決定されていた場合には、付加情報部には、手動設定によって決定された画像処理パラメータと共に、オート設定が選択された場合の画像処理パラメータも記録されているため、使用者は、いずれの画像処理パラメータを用いて画像処理を施すかを選択することができる。
【００４３】
例えば、付加情報部に上述したコントラストタグとコントラストオートタグが含まれている場合に、使用者がコントラスト調整を自動的に行うように指示した場合には、画像処理実行部２０３ａは、コントラストオートタグからガンマカーブ番号を読み込んで、それに対応する階調補正特性を用いて階調変換を行う。なお、各ガンマカーブ番号に対応する階調変換特性のデータは、あらかじめＨＤＤ２０４に記録されているものとする。
【００４４】
オート設定時のコントラスト調整においては、上述したように画像データから取得可能な情報だけでなく、測距センサー１０８やレンズ情報などに基づいてガンマカーブ番号が決定されるため、画像ファイル内に手動設定時のガンマカーブ番号を記録しておいただけでは、パソコン２００側でオート設定時のコントラスト調整結果を再現することができない。これに対して、本実施の形態によれば、画像ファイル内に、手動設定時のガンマカーブ番号とともに、オート設定時のガンマカーブ番号も記録するようにした。これによって、デジタルカメラ１００で手動設定がされていた場合でも、パソコン２００上でオート設定時のコントラスト調整結果を再現することができる。
【００４５】
図５は、本実施の形態におけるパソコン２００の処理を示すフローチャートである。図５に示す処理は、使用者によって画像データに対するコントラスト調整の実行が指示されると起動するプログラムとして、制御装置２０３によって実行される。
【００４６】
ステップＳ２１０において、画像処理実行部２０３ａは、使用者によってコントラストをオート調整するように指示されたか否かを判断する。肯定判断した場合には、ステップＳ２２０へ進み、画像処理実行部２０３ａは、画像ファイルの付加情報部から、コントラストオートタグに記録されているガンマカーブ番号を読み込んで、ステップＳ２４０へ進む。これに対して、否定判断した場合には、ステップＳ２３０へ進み、画像処理実行部２０３ａは、画像ファイルの付加情報部から、コントラストタグに記録されているガンマカーブ番号を読み込んで、ステップＳ２４０へ進む。
【００４７】
ステップＳ２４０では、画像処理実行部２０３ａは、ステップＳ２２０またはステップＳ２３０で読み込んだガンマカーブ番号に対応する階調変換特性のデータをＨＤＤ１０４から読み込んで、ステップＳ２５０へ進む。ステップＳ２５０では、画像処理実行部２０３ａは、読み込んだ階調変換特性を用いて、画像ファイルに本画像として格納されているＲａｗデータに対して階調変換処理を施す。その後、ステップＳ２６０へ進み、画像処理実行部２０３ａは、階調変換処理を施した後の画像データをモニタ２０５へ出力して、処理を終了する。
【００４８】
以上説明した本実施の形態によれば、以下のような作用効果を得ることができる。
（１）画像処理パラメータ決定部１０４ａは、撮像素子１０３で取得したＲａｗデータを処理する際に参照する、画像処理の処理レベルを指示する設定値、すなわち画像処理パラメータを画像データに基づいて算出する。そして、画像処理時の設定値を、画像処理パラメータ決定部１０４ａが算出する設定値、または所定の設定値から選択する。画像処理パラメータ記録部１０４ｃは、画像データ、選択した設定値、および自動的に算出した設定値とを含む画像ファイルを生成するようにした。これによって、デジタルカメラ１００の設定に関わらず、画像ファイルを読み込んだパソコン２００上で、画像処理パラメータ決定部１０４ａが自動的に決定した画像処理パラメータに基づく画像処理を再現することができる。
【００４９】
（２）画像処理はコントラスト調整処理であるものとし、コントラスト調整に用いる階調変換特性を特定するためのガンマカーブ番号を画像ファイルの付加情報部に記録するようにした。これによって、画像ファイルを読み込んだパソコン２００では、付加情報部からタグ情報を読み込んで、デジタルカメラ１００で設定されたコントラスト調整を再現することができる。
【００５０】
（３）画像処理パラメータ決定部１０４ａは、デジタルカメラ１００が備える測距センサー１０８からの出力信号に基づいて、ガンマカーブ番号を決定するようにした。このため、決定したガンマカーブ番号を画像ファイルの付加情報部に記録しておくことによって、デジタルカメラ１００の測距センサー１０８から情報を取得することができないパソコン２００においても、デジタルカメラ１００で決定された最適なガンマカーブ番号に応じた階調変換特性を用いたコントラスト調整を行うことが可能となる。
【００５１】
―変形例―
なお、上述した実施の形態の画像処理システムは、以下のように変形することもできる。
【００５２】
（１）上述した実施の形態では、画像処理がコントラスト調整である場合について説明した。しかしながら、上述したように、画像処理が彩度調整、ホワイトバランス調整、および輪郭強調等である場合にも本発明は適用可能である。例えば、画像処理が彩度調整である場合には、画像処理パラメータ決定部１０４ａは、測光センサー１０７からの出力信号、および画像データから算出される輝度ヒストグラムに基づいて、最適な彩度を設定するための画像処理パラメータを自動的に設定すればよい。
【００５３】
そして、画像処理パラメータ記録部１０４ｃは、彩度調整が手動設定の場合には、画像ファイルの付加情報部に含まれる彩度タグに、使用者によって選択された項目に対応する画像処理パラメータを記録する。また、彩度オートタグに、画像処理パラメータ決定部１０４ａが自動的に決定した画像処理パラメータを記録する。一方、彩度調整がオート設定の場合には、画像ファイルの付加情報部に含まれる彩度タグ、および彩度オートタグに画像処理パラメータ決定部１０４ａが自動的に決定した画像処理パラメータを記録する。
【００５４】
また、画像処理がホワイトバランス調整である場合には、画像処理パラメータ記録部１０４ｃは、ホワイトバランス調整が手動設定の場合には、画像ファイルの付加情報部に含まれるホワイトバランスタグに、使用者によって選択された項目に対応する画像処理パラメータを記録する。また、ホワイトバランスオートタグに、画像処理パラメータ決定部１０４ａが自動的に決定した画像処理パラメータを記録する。一方、ホワイトバランス調整がオート設定の場合には、画像ファイルの付加情報部に含まれるホワイトバランスタグ、およびホワイトバランスオートタグに、画像処理パラメータ決定部１０４ａが自動的に決定した画像処理パラメータを記録する。
【００５５】
また、画像処理が輪郭強調である場合には、画像処理パラメータ記録部１０４ｃは、輪郭強調が手動設定の場合には、画像ファイルの付加情報部に含まれる輪郭強調タグに、使用者によって選択された項目に対応する画像処理パラメータを記録する。また、輪郭強調オートタグに、画像処理パラメータ決定部１０４ａが自動的に決定した画像処理パラメータを記録する。一方、輪郭強調がオート設定の場合には、画像ファイルの付加情報部に含まれる輪郭強調タグ、および輪郭強調オートタグに、画像処理パラメータ決定部１０４ａが自動的に決定した画像処理パラメータを記録する。
【００５６】
なお、画像処理としては、上記いずれか１つの画像処理のみを対象として、その画像処理に対応する手動設定用のタグとオート設定用のタグを画像ファイルの付加情報部に設けてもよい。また、上記画像処理の２つ以上を対象として、複数の画像処理のそれぞれに対応する手動設定用のタグとオート設定用のタグを画像ファイルの付加情報部に設けてもよい。
【００５７】
（２）上述した実施の形態では、画像処理パラメータ記録部１０４ｃは、コントラスト調整がオート設定の場合には、画像ファイルの付加情報部に含まれるコントラストタグ、およびコントラストオートタグのそれぞれに、コントラスト検出部３ｇで決定されたガンマカーブ番号を記録する例について説明した。しかしながら、画像処理パラメータ記録部１０４ｃは、コントラスト調整がオート設定の場合には、コントラストオートタグのみにコントラスト検出部３ｇで決定されたガンマカーブ番号を記録するようにしてもよい。
【００５８】
（３）上述した実施の形態では、画像ファイルの付加情報部にコントラストタグ、およびコントラストオートタグを設け、このタグ内に画像処理パラメータ、すなわちガンマカーブ番号を記録することで、画像データと画像処理パラメータとを関連付ける例について説明した。しかしながら、画像データと画像処理パラメータとを別ファイルに格納して、それぞれを関連付けるようにしてもよい。
【００５９】
（４）上述した実施の形態では、パソコン２００は、メモリカードを経由してデジタルカメラ１００から画像ファイルを取り込む例について説明した。しかしながら、パソコン２００とデジタルカメラ１００とを無線、または有線で接続して、無線通信または有線通信により取り込むようにしてもよい。この場合、パソコン２００およびデジタルカメラ１００のそれぞれに、通信装置を搭載する必要がある。例えば、無線通信により画像ファイルを取り込む場合には、それぞれに無線ＬＡＮモジュールを搭載し、有線通信により画像ファイルを取り込む場合には、それぞれにＵＳＢモジュールを搭載すればよい。
【００６０】
なお、本発明の特徴的な機能を損なわない限り、本発明は、上述した実施の形態における構成に何ら限定されない。
【図面の簡単な説明】
【００６１】
【図１】画像処理システムの一実施の形態の構成を示すブロック図である。
【図２】コントラスト調整用の設定メニュー、およびガンマカーブ番号テーブルの具体例を示す図である。
【図３】コントラストオート設定時のデータの流れを模式的に示す図である。
【図４】デジタルカメラ１００の処理を示すフローチャート図である。
【図５】パソコン２００の処理を示すフローチャート図である。
【符号の説明】
【００６２】
１０  画像処理システム、１００  カメラ、１０１、２０１  操作部材、１０２  レンズ、１０３  撮像素子、１０４、２０３  制御装置、１０４ａ  画像処理パラメータ決定部、１０４ｂ、２０３ａ  画像処理実行部、１０４ｃ  画像処理パラメータ記録部、１０５  メモリカードスロット、１０６、２０５  モニタ、２００  パーソナルコンピュータ、２０２  接続ＩＦ、２０２ａ  メモリカードリーダー、２０４  ＨＤＤ
【図１】
2009044243.tif 000003
【図２】
2009044243.tif 000004
【図３】
2009044243.tif 000005
【図４】
2009044243.tif 000006
【図５】
2009044243.tif 000007